Podtech/llm-jp-corpus-v4-ja_patent huggingface dataset:
(57)【要約】【課題】浮体式戸建住宅に浮体式耐震構造体に使用される技術を適用して新規な耐震手段の提案にある。【解決手段】建屋と建屋の下方に設けられた貯水施設からなる建屋であって、前記貯水施設は貯留槽とその周囲に設けられた浸透槽であり、貯留槽内には多孔性流通体が貯留槽の内壁面に沿って配設され、貯留槽からの溢流水は浸透槽に導入され、前記建屋は建屋基礎下に設けられた浮力体によって貯留槽内に浮遊している建屋と建屋の下方に設けられた貯水施設からなる水槽上の建屋である。【選択図】図１
2020045726.tif 000002
【特許請求の範囲】
【請求項１】
建屋と建屋の下方に設けられた貯水施設からなる建屋であって、前記貯水施設は貯留槽とその周囲に設けられた浸透槽であり、貯留槽内には多孔性流通体が貯留槽の内壁面に沿って配設され、貯留槽からの溢流水は浸透槽に導入され、前記建屋は建屋基礎下に設けられた浮力体によって貯留槽内に浮遊している建屋と建屋の下方に設けられた貯水施設からなる水槽上の建屋。
【発明の詳細な説明】
【技術分野】
【０００１】
建屋特に戸建住宅の耐震性向上のための技術である。
【背景技術】
【０００２】
浮体式の耐震構造体はいくつか知られているが（例えば特開H1-198923、特開H11-183695）、戸建住宅に適応した例は知られていない。
【先行技術文献】
【特許文献】
【０００３】
【特許文献１】H1-198923
【特許文献２】特開H11-183695
【発明の開示】
【発明が解決しようとする課題】
【０００４】
浮体式戸建住宅に浮体式耐震構造体に使用される技術を適用して新規な耐震手段の提案にある。
【課題を解決するための手段】
【０００５】
建屋と建屋の下方に設けられた貯水施設からなる建屋であって、前記貯水施設は貯留槽とその周囲に設けられた浸透槽であり、貯留槽内には多孔性流通体が貯留槽の内壁面に沿って配設され、貯留槽からの溢流水は浸透槽に導入され、前記建屋は基礎下に設けられた浮力体によって貯留槽内に浮遊している建屋と建屋の下方に設けられた貯水施設からなる水槽上の建屋である。
【発明の効果】
【０００６】
本発明は、建屋と建屋の下方に設けられた貯水施設からなる建屋であって、前記貯水施設は貯留槽とその周囲に設けられた浸透槽であり、貯留槽内には多孔性流通体が貯留槽の内壁面に沿って配設され、貯留槽からの溢流水は浸透槽に導入され、前記建屋は基礎下に設けられた浮力体によって貯留槽内に浮遊している建屋と建屋の下方に設けられた貯水施設からなる水槽上の建屋であるため以下の効果がある。
１．建屋が貯留槽内で浮いているため、地震動が地盤から直接伝わらない。
２．地震動を受けた貯留槽内の水のスロッシングは貯留槽内壁に設けた多孔性流通体により抑制される。
３．貯留槽内の水のスロッシングが大きくなりすぎたときは、貯留槽内の水は浸透槽に吐き出される。
【図面の簡単な説明】
【０００７】
【図１】本発明の構成を示す概念図の一例である。
【図２】本発明の構成を示す概念図の他の例である。
【図３】貯留槽内の内壁に沿って配設する多孔性流通体の例を示す。
【発明を実施するための形態】
【０００８】
図1に本発明の水槽上の建屋は、以下の構成となっている。
建屋は貯水施設上に存在する。貯水施設は貯留槽と浸透槽からなり、浸透槽は貯留槽の周囲あるいは両脇に存在している。貯留槽からの溢流水は浸透槽に流出し、地下に浸透する。
貯水槽の槽壁内面には多孔性流通体が配設されていて、貯水槽内の水が地震動によりスロッシングを起こしたとき、配設された多孔性流通体の壁に流入し中で複雑な動きをすることでエネルギーが吸収されスロッシングを抑制するようになっている。
建屋は、図ではべた基礎を採用し、その下部に浮力体が設けられ、浮力体の大きさ、水位を調節することで貯留槽内で浮遊している。そのため建屋は地震動に対し揺れるなどの影響を受けない。
スロッシングを防止するために使用する多孔性流通体は貯留槽内壁面以外にも、必要に応じ浮力体の側面にも固定してもよい。
多孔性流通体は金網、多孔性のブロックあるいは雨水などの流出抑制施設の構築用に使用される帯水材ブロックが使用できる。
【０００９】
図２に示す水槽上の建屋は、以下の構成となっている。
貯留槽は、上貯留槽、下貯留槽の2つに区画されかつ連通している。
上貯留槽は上記の発明と同じ構成とされ、下貯留槽は浸透槽と同じ帯水材ブロックが充填され、上貯留槽を支えている。
上貯留槽と、下貯留槽との間は浸透槽の一部として浸透槽の容量を増加させ、周囲の過剰の雨水を貯留することができ、徐々に地中に浸透させる役割を担っている。
下貯留槽内には管が配設され、建屋内に導かれている。下貯留槽は地下の深い部分に設けられるため、その中の水は地下水同様一年中ほぼ一定の温度を示す。
その一定の温度を利用し、建屋内の冷暖房用に利用することができる。
図1に示す建屋において貯留槽を深くし、上記と同様貯留槽底面に管を配設し上記と同様の利用に供することができる。
【００１０】
貯留槽は上貯留槽、下貯留槽ともコンクリート製の槽でもよく、また下記浸透槽と同様帯水材ブロックを壁面を形成するよう配設、その側面底面を遮水性シートで包んで形成してもよい。
浸透槽は帯水材ブロックを配設し、その側面・底面を透水性シートで包むことで形成できる。
【００１１】
貯留槽および上貯留槽上には、ローラーあるいは球体が並べられ、貯留槽が地震時何らかの原因で破損し、貯留槽内の水が失われた場合に、水位の減少により家屋が多孔性流通体上に納まり、転がり免震効果を発揮させる目的のために供される。
多孔性流通体としての帯水材ブロックは、貯留槽、浸透槽同じブロックを使用してもそれぞれ異なるブロックとしてもよい。好ましくは貯留槽に使用する帯水材ブロックは配設してできる壁内が細かく分割されるブロックが好ましい。
図２に帯水材ブロックの例を示す。図では。２ｂを貯留槽に２ａを浸透槽に使用している。
【００１２】
浮力体は、ＥＰＳの塊、密閉された函体、あるいは地下室と使用するものでもよい。
【産業上の利用可能性】
【００１３】
建屋と建屋の下方に設けられた貯水施設からなる水槽上の建屋を構築することができる。
【符号の説明】
【００１４】
１  建屋
２  基礎
３  貯留槽７
３１上貯留槽
３２下貯留槽
４  浸透槽
５  浮力体
６  多孔性流通体
７  帯水材ブロック
８  遮水シート
９  透水シート
【図１】
2020045726.tif 000003
【図２】
2020045726.tif 000004
【図３】
2020045726.tif 000005
(57)【要約】【課題】  従来、鉄骨造・木造の建物の主要構造部の仕上に集成材を使用し耐火性能をもたせる為に用いられる耐火性能材は規格化されたものではなかったため、鉄骨造・木造において建物の主要構造部の仕上を集成材とし、耐火性能をもたせる為には、コスト面・手間面の負担の制約があった。【解決手段】  本発明は耐火材として集成材を使用する場合において、燃えしろ部分となる集成材部分と燃えどまり部分となる不燃材の組み合せを板材とし、又この耐火性能を建築基準法の規定により規格化し、鉄骨造・木造の主要構造部の耐火材の仕上に集成材を使用する際のコスト面・手間面の負担を軽減し、耐火性能をもたせる場合に積極的な木材の使用が可能となる。【選択図】図２
2020045754.tif 000002
【特許請求の範囲】
【請求項１】
火炎による加熱に対して、燃えしろとなる集成材部分と燃えとどまり部分となる不燃材からなる、板状の部材により構成された耐火性能を有する木質系複合板材。
【請求項２】
耐火性能を建築基準法の規定に従い規格化された耐火性能を有する木質系複合板材。
【発明の詳細な説明】
【技術分野】
【０００１】  本発明は鉄骨造・木造の建物の主要構造部に耐火性能をもたせる為に用いられる、集成材を仕上とする耐火性能を有する木質系板材に関するものである。
【背景技術】
【０００２】  従来、鉄骨造・木造の建物の主要構造部の仕上に集成材を使用し耐火性能をもたせる為に用いられる耐火性能材は規格化されたものではなかった。【０００３】  しかしながら、鉄骨造・木造において建物の主要構造部の仕上を集成材とし、耐火性能をもたせる為には、コスト面・手間面の負担の制約があった。
【先行技術物件】
【特許文献】
【０００４】
【特許文献１】特開２０１４−５８８１３
【特許文献２】特開２０００−１７７５２
【発明の概要】
【発明が解決しようとする課題】
【０００５】  解決しようとする問題点は、鉄骨造・木造の建物において主要構造部に耐火性能を持たせつつ、集成材を仕上材とする際のコスト面・手間面の負担を軽減することを課題とする。
【課題を解決するための手段】
【０００６】  本発明は耐火材として集成材を使用する場合において、燃えしろ部分となる集成材部分と燃えどまり部分となる不燃材の組み合せを板材とし、又この耐火性能を建築基準法の規定により規格化する。
【発明の効果】
【０００７】  本発明の耐火性能を有する木質系複合板材は、板材化及び規格化することにより鉄骨造・木造の主要構造部の耐火材の仕上に集成材を使用する際のコスト面・手間面の負担を軽減する。
【図面の簡単な説明】
【０００８】
【図１】  耐火性能を有する木質系複合板材の姿図である。［実施例１］
【図２】  耐火性能を有する木質系複合板材の断面図である。［実施例１］
【発明を実施するための形態】
【０００９】  耐火性能を有する木質系複合板材を板材化・規格化することにより、鉄骨造・木造の建物の主要構造部に耐火性能をもたせる場合に積極的な木材の使用が可能となる。
【実施例１】
【００１０】  図１は本発明部材の１実施例の姿図であり、図２は本発明部材の１実施例の断面図である。
【産業上の利用可能性】
【００１１】  耐火性能を有する木質系複合板材を板材化・耐火性能の規格化により、鉄骨造・木造の主要構造部の仕上を集成材とし耐火建築物・準耐火建築物とした場合、建物の部材の製作工場及び現場での工程のコスト面・手間面での軽減のみならず、規格化による精度の向上により建物の耐火性能の精度の向上をみることができ、木材資源の活用も進む。
【符号の説明】
【００１２】  １．耐火性能を有する木質系複合板材の表面を示す。
２．耐火性能を有する木質系複合板材の裏面を示す。
３．耐火性能を有する木質系複合板材の集成材部分を示す。
４．耐火性能を有する木質系複合板材の不燃材部分を示す。
【図１】
2020045754.tif 000003
【図２】
2020045754.tif 000004
(57)【要約】      （修正有）【課題】現代の室内は健康（熱中症予防）と作業効率のためエアコンが設置されているがヒートポンプであるため熱の移動にとどまり、新鮮な外気（酸素）の供給は出来ず、外気導入（換気）をすれば冷暖房効率は下がるジレンマに陥り、現実に行われがちな人の出入りのみによる換気では酸素量の低下を招き、作業効率、健康の低下につながる。水素は還元性により体内に吸収された場合悪性酸化物、活性酸素の還元により脳梗塞の予防、改善が期待でき、期待も大きい。簡単かつ安全に換気の悪くなりがちな室内に酸素、水素を供給出来る、電気分解を利用した装置を提供することを課題とする。【解決手段】水の電気分解により、換気の悪くなりがちな室内に酸素、水素を供給する装置を設置する。水中に電流を流すための電解質には安全、安価で手軽に手に入る炭酸水素ナトリウム（重曹）を用いるのが望ましい。【選択図】図１
2020045555.tif 000002
【特許請求の範囲】
【請求項１】
水の電気分解を利用した室内への酸素、水素供給装置
【発明の詳細な説明】
【技術分野】
【０００１】  この発明は、水の電気分解を利用した室内への酸素、水素供給装置に関する。
【背景技術】
【０００２】従来の水の電気分解は物質として水素、酸素を得るために行うのが主であり、通電させるための電解質も水酸化ナトリウムといった薄くても危険で身近に使えないものであった。太陽光などの自然エネルギーを利用した発電で行えば有用であるが、電気エネルギーで水素、酸素の化学エネルギーを得てるにすぎない面がある。
【先行技術文献】
【特許文献】
【非特許文献】
【発明の概要】
水の電気分解を利用した室内への酸素、水素供給装置
【発明が解決しようとする課題】
【０００３】  従来の水の電気分解は物質として水素、酸素を得るために行うのが主であり、通電させるための電解質も水酸化ナトリウムといった薄くても危険で身近に使えないものであった。太陽光などの自然エネルギーを利用した発電で行えば有用であるが、電気エネルギーで水素、酸素の化学エネルギーを得てるにすぎない面がある。【０００４】  また現代の室内は健康（熱中症予防）と作業効率のためエアコンが設置されているがヒートポンプであるため熱の移動にとどまり、新鮮な外機（酸素）の供給は出来ず、外基導入（換気）をすれば冷暖房効率は下がるジレンマに陥り、現実に行われがちな人の出入りのみによる換気では酸素量の低下を招き、作業効率、健康の低下につながる。近頃叫ばれている教室へのエアコン導入が進めば低酸素で学習をする事になり若い脳への影響は測り知れず、国家的損失となる。【０００５】  さらに副産物の水素は爆発的に燃焼する危険物であるが他の気体の約１４分の１以下の軽さにより装置上部を広く開けておけば、自然に上昇拡散し、人の出入り等の自然な換気により爆発体積濃度４％に達することは常識的な電気分解ではありえない。むしろ水素の還元性により体内に吸収された場合悪性酸化物、活性酸素の還元により脳梗塞の予防、改善が期待でき、動物実験ではその臨床データが揃いつつあり、人間に対して良くはあっても悪く働く要素は無く、こちらの期待も大きい。また換気の悪い室内は病原体が浮遊し、乾燥による集団感染の恐れがあり、その損失も計り知れない。【０００６】  ボンベによる供給もあるが、噴出量の調整が難しく爆発の危険がある。またボンベは重いので設置、交換に労力がいる。
そこでこの発明は、簡単かつ安全に換気の悪くなりがちな室内に酸素、水素を供給し、  ある程度の健康を得る事の出来る、従来よりの電気分解を利用した装置を提供することを課題とする。
【課題を解決するための手段】
【０００７】  以上の課題を解決するために、水の電気分解により、換気の悪くなりがちな室内に酸素、水素を供給する装置を設置する。水中に電流を流すための電解質には安全、安価で手軽に手に入る炭酸水素ナトリウム（重曹）を用いるのが望ましい。
【発明の効果】
【０００８】  この発明によれば、現代の室内は健康（熱中症予防）と作業効率のためエアコンが設置されているがヒートポンプであるため熱の移動にとどまり、新鮮な外機（酸素）の供給は出来ず、外基導入（換気）をすれば冷暖房効率は下がるジレンマに陥り、現実に行われがちな人の出入りのみによる換気では酸素量の低下を招き、作業効率、健康の低下につながる。近頃叫ばれている教室へのエアコン導入が進めば低酸素で学習をする事になり若い脳への影響は測り知れず、国家的損失となるがそれを防ぐ事が出来る。【０００９】  さらに副産物の水素は爆発的に燃焼する危険物であるが他の気体の約１４分の１以下の軽さにより装置上部を広く開けておけば、自然に上昇拡散し、人の出入り等の自然な換気により爆発体積濃度４％に達することは常識的な電気分解ではありえない。むしろ空気中に殆ど存在しない水素を人為的に安全な範囲で供給し、その還元性により体内に吸収された場合悪性酸化物、活性酸素の還元により脳梗塞の予防、改善が期待でき、動物実験ではその臨床データが揃いつつあり、人間に対して良くはあっても悪く働く要素は無く、期待が大きい。【００１０】  また換気の悪い室内は病原体が浮遊し、乾燥による集団感染の恐れがあり、その損失も計り知れないが、酸素、水素の気泡が弾けるときに生じる超音波により微細の霧が生じ加湿される。生じたての酸素、水素には活性の高いものも含まれ、それによる殺菌も期待できる。【００１１】  ボンベによる供給もあるが、噴出量の調整が難しく爆発の危険がある。またボンベは重いので設置、交換に労力がいるが、それらを解消できる。【００１２】    また副次的であるが電気分解槽が透明で外から観察出来る様にすれば、教室に於いて    は科学現象に興味を持つきっかけになるし。一般の部屋に於いては癒し、気分転換と    なる。いずれもより高濃度の酸素、水素を吸入する事が出来、更なる効果を期待でき    る。【００１３】  過電流による電源の加熱等の危険は、極板を短絡させない限り、満水のとき電源に余裕があり過熱しなければ、水が減り電解質濃度が上がっても水中の極板面積もその分下がり電流はほぼ変わらず、飽和溶液になると面積が減る分電流は減少し、渇水した所でゼロになるので安全である。
そこでこの発明は、簡単かつ安全に換気の悪くなりがちな室内に酸素、水素を供給し、  ある程度の健康を得る事の出来る、従来よりの電気分解を利用した装置を提供する事が出来る。
【図面の簡単な説明】
【００１４】
【図１】本発明にかかわる水の電気分解装置の側面図である。
【発明を実施するための形態】
【００１５】  この電気分解装置の水槽は外からの観察と水の量の確認（水は無くなっても電流はゼロになるので安全）のために、また簡単に割れない丈夫な透明樹脂が望ましい。極板どうしは絶対触れないようにするが、電流、気体の発生量を調節できるよう移動できるようにする。
【００１６】  電源は水のかかる可能性のある水槽から離すため電気的負荷に余裕のある可変電圧ＡＣアダプタが望ましい。窓際に置ける程度の太陽電池も安全で、日射量で気体の発生量が変わるので興味深い。
【実施例】図１の通り
【産業上の利用可能性】
【００１７】  一般の家庭、企業、役所、学校、車両等の諸々の室内。
【図１】
2020045555.tif 000003
(57)【要約】      （修正有）【課題】ぬめりが発生せず、水切れが良く、ごみが低い方に偏って溜まることの無い、台所用流し台三角ごみ水切りコーナーを提供する。【解決手段】本発明のごみ収納袋保持具は、本体１と、本体下端からのびる足部２と、本体上端に位置するストッパ３とを備える。前記本体は前記上端における周長が前記下端における周長よりも短い環状壁部を有し、前記ストッパが前記環状壁部の外面に接触し、ごみ水切りネットをぶら下げる。前記足部は長さ調節が可能で、本体を水平に調節することができる。ごみが中央から平らに蓄積され本体に触れないので、ぬめりが発生せず水切れが良い。【選択図】図１
2020045245.tif 000002
【特許請求の範囲】
【請求項１】
本体と、本体下端からのびる足部と、本体上端に位置するストッパとを備えるごみ収納袋保持具であって、前記本体は、前記上端における周長が下端における周長よりも短い環状壁部を有し、前記ストッパは、前記環状壁外面に接触可能であり、前記足部は長さ調節が可能であることを特徴とするごみ収納袋保持具。
【請求項２】
前記ストッパは環状であり、上端における周長が下端における周長よりも短く、その傾斜角は、前記本体の環状壁部と同じであることを特徴とする請求項１記載のごみ収納袋保持具。
【発明の詳細な説明】
【技術分野】
【０００１】  本発明は、台所流し台用ごみ収納袋保持具に関する。
【背景技術】
【０００２】市販の台所用流し台三角ごみ水切りコーナーは、ぬめりを発生し、水切れ悪く、ごみが低い方に偏って溜まる、等の構造的な問題があった。
【先行技術文献】
【特許文献】
【０００３】
【特許文献１】特開２０１８−７０３７１
【発明の概要】
【発明が解決しようとする課題】
【０００４】  特許文献１の保持具ついては、市販の流し台ではコーナー一部に設置した場合ごみが低い方に偏って溜まる構造的問題がある。
【課題を解決するための手段】
【０００５】  その１は、本体と、本体下端からのびる足部と、本体上端に位置するストッパとを備えるごみ収納袋保持具であって、前記本体は、前記上端における周長が下端における周長よりも短い環状壁部を有し、前記ストッパは、前記環状壁外面に接触可能であり、前記足部は長さ調節が可能であることを特徴とするごみ収納袋保持具である。
その２は、前記ストッパは環状であり、上端における周長が下端における周長よりも短く、その傾斜角は、前記本体の環状壁部と同じであることを特徴とする請求項１記載のごみ収納袋保持具である。
【発明の効果】
【０００６】  本発明のごみ収納袋保持具は、本体上端周長内部にごみ水切りネットがぶら下がる状態になる。容器から注いだ、ごみ汁、水は一気に流れ消え、ごみだけ平らに残る。ぬめり発生しない。【０００７】  本発明のごみ収納袋保持具は勾配になっているシンク内でも足部切断調節可能で水平になり、ごみは中央から平らに蓄積される。【０００８】  本発明のごみ収納袋保持具は足部がアジャスターでもよい。取付け可能で水平になり、ごみは中央から平らに蓄積される。【０００９】  本発明のごみ収納袋保持具のストッパは、本体に従ってごみ水切りネットを緩やかに押えて本体環状壁部の外面に接触して係止する。【００１０】  本発明のごみ収納袋保持具のストッパは先端が丸みを帯びて水切りネットを傷つけない。設置は下ろす、取り外しは上げる、と操作が容易である。【００１１】  本発明のごみ収納袋保持具は市販の、ごみ水切りネット（不織布タイプ．サイズ．約２６×１２×１１ｃｍ．５５枚入．１００円）を使用するので経済的である。
【図面の簡単な説明】
【００１２】
【図１】本発明ごみ収納袋保持具の全体斜視図である。
【図２】本発明ごみ収納袋保持具正面図である。
【図３】本発明ごみ収納袋保持具本体斜視図である。
【図４】本発明ごみ収納袋保持具ストッパ斜視図である。
【図５】ごみ収納袋保持具、本体にネットを垂れさせ被せた図である。
【図６】ごみ収納袋保持具、本体にストッパを載せた図である。
【図７】ストッパ、本体環状壁部の外面に接触して係止した図である。
【図８】ごみ収納袋保持具、本体足部の拡大図である。
【図９】足部アジャスター取り付け可能具の説明図である。
【発明を実施するための形態】
【００１３】  本発明、実施形態を図１〜図９に基づいて説明する。
【００１４】  本発明ごみ収納袋保持具、本体１は上端における周長が下端における周長より短い環状壁部を有し、足部２は長さ調節可能である。ストッパ３は上端における周長が下端における周長より短い、その傾斜角は本体環状壁部と同じである。本体１とストッパ３は上端周長内部から下端周長内部まで空洞である。ごみ水切りネット４の設置について以下に説明する。１本体上端周長内部にごみ水切りネット４を垂れさせ被せ、本体に従ってストッパ３を緩やかに押し下げる。ストッパ３が本体環状壁部の外面に接触して係止し完了する。これによってごみ水切りネット４は本体上端周長内部にぶら下がる状態になる。鍋等の調理器具または皿等の食器から注いだ、ごみ汁、水は一気に流れ消える、ごみだけ平らに残る。取り外しは逆の手順で行なう。必要があれば、シンク内は勾配になっているので足部を切断することで本体を水平に調節できる。それによりごみは中央から平らに蓄積される。アジャスター取り付けて足部の代わりに調節可能で本体水平に調節できる。
【実施例】
【００１５】  本発明のごみ収納袋保持具と市販三角水切りコーナーポリプロピレン成型品と市販の三角水切りコーナーステンレス製品の３種類を比較した。ごみの材料は
2020045245.tif 000003
網型を使用した（販売元．ＫＯＭＡＤＡ紙工業株式会社  ＷＫ−１２５  材質．ポリエチレン寸法．約２１センチ×１７ｃｍ．５０枚入．１００円）。３種のごみ収納袋保持具、三角水切りコーナーに、ごみ材料を流し込んで１０分経過後の水切りネットに残ったごみの重量の測定をした。本発明ごみ収納袋保持具は、２２８ｇ水切りネット絞っても汁でない。市販の三角水切りコーナーポリプロピレン成型品、３１４ｇ水切りネット絞ると汁ぼたぼたと落ちる。市販の三角水切りコーナーステンレス製品２７５ｇ水切りネット絞ると汁だらーっと流れ落ちる。
【符号の説明】
【００１６】  １  本体
２  足部
３  ストッパ
４  水切りネット
【図１】
2020045245.tif 000004
【図２】
2020045245.tif 000005
【図３】
2020045245.tif 000006
【図４】
2020045245.tif 000007
【図５】
2020045245.tif 000008
【図６】
2020045245.tif 000009
【図７】
2020045245.tif 000010
【図８】
2020045245.tif 000011
【図９】
2020045245.tif 000012
(57)【要約】【課題】本発明は、従来の構造より簡易的、利便性に富んだ洗濯ネット袋を提供する【解決手段】本発明は、洗濯ネット袋の開口部に巾着袋の用途を用いて開閉し、洗濯籠の淵に洗濯ネット袋が掛けられることにより、収納口が大きくなり洗濯物の出し入れが安易になる。また、把手も取り外しが出来る構造にする事で利便性が生まれる【選択図】図１
2020025838.tif 000002
【特許請求の範囲】
【請求項１】
メッシュ生地の穴の形状が丸形、凸多角形で洗濯ネットの取出口が、紐で締める巾着の開閉形態であり、取り外し可能な把手を設置し、袖部が洗濯籠の縁に覆って被せられることを特徴とした洗濯ネット巾着バック
【発明の詳細な説明】
【技術分野】
【０００１】本発明は、洗濯ネット巾着バックに関する
【背景技術】
【０００２】従来の洗濯ネット袋は、ファスナー式、バッグ型の構造の洗濯ネットバックが存在した
【発明の概要】
【発明が解決しようとする課題】
【０００３】しかし、洗濯物を干す際に、ネット本体を洗っており無数の穴が開いている事により底面が地面に接し汚れを伴い、またファスナー式の場合洗濯籠に設置し辛く、洗濯後の洗濯物が取り辛いといった欠点があった
【課題を解決するための手段】
【０００４】本発明は、以上のような従来の欠点に鑑み、洗濯ネットに取り外し可能把手と洗濯ネット袋の開閉口部を巾着袋の用途を用いて紐で締める構造にすることで袖部が籠の淵に掛けられる構造により上記課題を解決するものである
【発明の効果】
【０００５】上述の様に、洗濯ネット巾着バックが洗濯籠の淵に開き掛けられる構造によって、洗濯物の出し入れが安易になる【０００６】洗濯籠に洗濯ネット巾着バックを設置することで洗濯物干し終えた後、そのままの状態で戻すことにより、次回の複数の洗濯物を１度の動作でそのまま洗濯機に入れられる簡易性が生まれる【０００７】洗濯物のズボンなど長袖のシャツなどの絡みを防ぎ、脱水後の皺を抑制する事ができ洗濯物を干す際に簡易的である
【発明を実施するための形態】
【実施例】
【０００８】以下、本発明の洗濯ネット巾着バックを説明する【０００９】図１が示すメッシュ生地洗濯ネット袋凸多角形穴状３は、取り外し可能把手１とメッシュ生地洗濯ネット袋袖部５が、縫合しており、メッシュ生地洗濯ネット袋袖部５の紐２を締める事により巾着袋と同じ仕組みによって、取立口の開閉を行う【００１０】図２は本考案の第一実施例図であり、メッシュ生地洗濯ネット袋丸穴状４を使用し、縫合により取り外し可能把手１とメッシュ生地洗濯ネット袋袖部５を取り付け、図１と同様に紐２を締める事により巾着袋と同じ仕組みによって、取立口の開閉を行う【００１１】図３は本考案の洗濯ネット巾着袋傾斜図であり、洗濯ネット巾着袋取出口のメッシュ生地洗濯ネット袋袖部５を広げた状態を示す【００１２】図４が示す洗濯ネット巾着バックの第二実施例図であり、洗濯籠６に洗濯ネット巾着袋を設置する事で洗濯をする際に取り出しやすく、そのまま口を締め洗濯機に入れる事ができる。また洗濯物を取り出す際にも安易であり、洗濯皺やズボンなど長袖の衣服などの絡み予防となる。洗濯物を干す場合には図４の状態に使用すれば取り出しやすく、取り出した後、そのままの状態にて元の場所に戻すだけといった簡易性が生じる。
【図面の簡単な説明】
【００１５】
【図１】本発明が示す洗濯ネット巾着バックの全体図である
【図２】本発明が示す洗濯ネット巾着バックの第一実施例図である
【図３】本発明が示す洗濯ネット巾着バックの傾斜図である
【図４】本発明が示す洗濯ネット巾着バックの第二実施例図である
【符号の説明】
【００１６】１    取り外し可能把手
２    紐
３    メッシュ生地洗濯ネットバッグ凸多角形穴状
４    メッシュ生地洗濯ネットバッグ丸穴状
５    メッシュ生地洗濯ネットバッグ袖部
６    洗濯籠
【図１】
2020025838.tif 000003
【図２】
2020025838.tif 000004
【図３】
2020025838.tif 000005
【図４】
2020025838.tif 000006
(57)【要約】【課題】この発明は、中央折り線と翼の折り線とが翼の重みで左右へＶ字型に開くことを利用して、その上の翼を紙等で貼り、折紙飛行機の中央に、三角錐の風受を作り、吹き筒のストローを挿入し吹くことで、折紙飛行機を飛行させることを提供する。【解決手段】折紙飛行機の中央折り線（４）と翼の折り線（３）の隙間を開けたまま翼（１）に紙等（２）を貼り筒状の風受（５）を設ける。本発明は、以上の構成よりなる風受を設けたことを特徴とする折紙飛行機である。【選択図】図１
2020025837.tif 000002
【特許請求の範囲】
【請求項１】
折紙飛行機の中央折り線（４）と翼の折り線（３）の隙間を利用して、これを筒状の風受（５）にするため、翼（１）に紙等（２）を貼り筒状の風受（５）を設けたことを特徴とする折紙飛行機。
【発明の詳細な説明】
【技術分野】
【０００１】  この発明は、折紙飛行機の中央折り線と翼の折り線の隙間を利用して、これを筒状の風受にするために翼に紙等を貼り筒状の風受を設けた折紙飛行機に関するものである。
【背景技術】
【０００２】  従来、内外に２本のストローを設け、内側のストローを吹き筒とし、外側のストローを風受とし翼を設け先端を塞ぎ、吹く息で飛ばすストロー飛行機という玩具が知られていた。
【先行技術文献】
【特許文献】
【０００３】
【特許文献１】
【非特許文献】
【非特許文献１】Ｈｏｉｃｌｕｅ著「飛べ飛べ！ストロー飛行機〜吹矢風に楽しむ手作りおもちゃ〜」  ２０１８年８月１３日  ｈｏｉｃｌｕｅ．ｊｐ／５００１３４９４１．ｈｔｍｌ
【発明の概要】
【発明が解決しようとする課題】
【０００４】  これは、つぎのような欠点があった。
ストロー飛行機は、ストローでストローを飛ばすという発想しかなかった。折紙飛行機としての美観を損ねずにストローと合体させて飛ばす構造でなかった。折紙飛行機へのストロー取り付けには手間がかかった。
本発明は、以上のような欠点をなくすためになされたものである。
【課題を解決するための手段】
【０００５】  折紙飛行機の中央折り線（４）と翼の折り線（３）の隙間を開けたまま翼（１）に紙等（２）を貼り筒状の風受（５）を設ける。
本発明は、以上の構成よりなる、風受を設けた折紙飛行機である。
【発明の効果】
【０００６】  折紙飛行機の中央折り線と翼の折り線の隙間は翼の重みで左右へＶ字型に開いている、その上の翼を紙等で貼ると折紙飛行機の中央に、三角錐の風受を作ることが出来る。一枚の紙等を貼るという安価で簡単な方法で、折紙飛行機（風受）側のストローが不要になり、折紙飛行機の美観も損ねない軽量な構造を得られた。
【図面の簡単な説明】
【０００７】
【図１】本発明の斜視図である。
【発明を実施するための形態】
【０００８】  以下、本発明を実施するための形態について説明する。
折紙飛行機の中央折り線（４）と翼の折り線（３）の隙間を開けたまま翼（１）に紙等（２）を貼り筒状の風受（５）を設ける。
本発明は、以上のような構造である。
本発明を使用するときは、折紙飛行機の風受（５）に吹き筒（６）となるストローを挿入し、息を吹き込む。ストローの先端を斜めに切断しておくと、折紙飛行機の風受（５）深く挿入でき、機体を安定させ発射させることができる。吹き筒（６）となるストローは、自作も可能である。翼（１）に貼る紙等（２）の素材は、紙がよいが、ビニール、プラスチック、ゴム、布類などでも差し支えない。
【符号の説明】
【０００９】      １翼
２紙等
３翼の折り線
４中央折り線
５風受
６吹き筒
【図１】
2020025837.tif 000003
(57)【要約】      （修正有）【課題】刃体を着脱できる折り畳み式草取りナイフを提供する。【解決手段】刃体８を保持するホルダー１に傾斜を付けて柄押さえ２を設け、柄３の先端から中央にかけて刃体を収める凹み４を設け、柄３の後端にフォーク１１を収納するフォーク収納庫を設け、そこに支軸を回転して１８０度回転して柄に収納出来るフォーク１１を設け、刃体８に吸着する位置と、柄押さえ２に吸着する位置にマグネットを設けた柄３を、蝶番７を介して柄押さえ２に取り付け、刃体８を着脱するスライダー９をホルダー１に装着し、柄３を折り畳んで刃体８の安全カバーに出来るようにした、折り畳み式草取りナイフ。【選択図】図２
2020025834.tif 000002
【特許請求の範囲】
【請求項１】
刃体を保持するホルダーの前方に傾斜を付けて柄押さえを設け、柄押さえの両側に側壁を設け、柄の先端から中央にかけて、刃体が収まる凹みを設け、柄の後端にフォークを収納するフォーク収納庫を設け、そこに支軸を介して１８０度回転するフォークを設け、フォークを固定するフォークストッパーを取り付け更に、柄押さえに吸着する位置と、刃体に吸着する位置にマグネットを設けた柄を、蝶番を介して柄押さえに装着し、刃体を着脱するスライダーを柄押さえ側よりホルダーに装着して成る、折り畳み式草取りナイフ。
【発明の詳細な説明】
【技術分野】
【０００１】本発明は、草を取る折り畳み式草取りナイフに関するものである。
【背景技術】
【０００２】従来畑、花壇、庭等の草取りは、草刈り鎌・草削り・素手で行っていた。
【発明の概要】
【発明が解決しようとする課題】
【０００３】そのため次のような問題点があった。
草刈り鎌は、草の表面だけ刈るので、草が直ぐ生えてくる。
また草刈り鎌及び草削りは、作物と作物の間、木の根元、塀や側溝の脇等狭い場所に生えている草取りには適していなかった。
また、切れなくなった草刈り鎌は砥石で研ぐが、切れるように研ぐには熟練を要する。
【課題を解決するための手段】
【０００４】  刃体を保持するホルダーの前方に傾斜を付けて柄押さえを設け、柄をしっかり固定するため、柄押さえの両側に側壁を設けてある。
柄の先端から中央にかけて、刃体が収まる凹みを設け、この凹み部が刃体の安全カバーの機能を成す。
柄の後端にフォークを収納するフォーク収納庫を設け、そこに支軸を介して１８０度回転するフォークを設け、フォークを固定するフォークストッパーを設けてある。
更に柄に、柄押さえに吸着する位置にマグネットＡを、刃体に吸着する位置にマグネットＢを設けた柄を、蝶番を介して柄押さえに装着してある。
刃体を着脱するスライダーを、柄押さえ側よりホルダーに装着してある。
以上を特徴とする、折り畳み式草取りナイフ。
【発明の効果】
【０００５】▲１▼草の付け根から切り取れるので、草が再生しにくい。
▲２▼作物と作物の間、木の根の周り、砂利を敷いてある所に生えている草や、道路や塀の縁等狭い所に生えている草も容易に取れる。
▲３▼切れなくなった刃体は、市販の包丁研ぎ器で誰にでも簡単に研げる。
▲４▼刃体の交換は、誰にでも簡単に行える構造になっている。
▲５▼刃体の向きを換えて挿入するだけで、右利き左利きに対応できる。
▲６▼平地に生えている草は、顔を剃る感覚で快適に草取りが出来る。
【図面の簡単な説明】
【０００６】
【図１】  本発明の斜視図
【図２】  本発明における刃体使用時の斜視図
【図３】  本発明におけるフォーク使用時の斜視図
【図４】  本発明の保管時の斜視図
【図５】  本発明において、フォーク収納庫部を詳細に見せた側面図
【発明を実施するための形態】
【０００７】以下、本発明の実施形態について説明する。
（イ）図１のように刃体（８）を保持するホルダー（１）の前方に傾斜を付けて柄押さえ（２）を設ける。
柄（３）をしっかり固定するため柄押さえ（２）に側壁を設ける。
（ロ）柄（３）の先端から中央にかけて、刃体（８）が収まる凹み（４）を設け刃体（８）の安全カバーと成す。
（ハ）柄（３）の後端にフォーク（１１）を収納するフォーク収納庫（１４）を設け、支軸（１３）を介して１８０度回転するフォーク（１１）を設け、フォーク（１１）を固定するフォークストッパー（１２）を設ける。
（ニ）柄（３）に柄押さえ（２）に吸着する位置にマグネットＡ（５）刃体（８）に吸着する位置にマグネットＢ（６）を設ける。
（ホ）刃体（８）を着脱するスライダー（９）を柄押さえ（２）側よりホルダー（１）に装着する。
本発明は、以上の様な構成である。
【０００８】以下本発明の使用について説明する。
（イ）草取りナイフとして刃体を使用する時は、図２に示すように柄（３）を柄押さえ（２）側に倒す。
柄（３）はマグネットＡ（５）で柄押さえ（２）に吸着固定される。
る。
この状態でスライダー（９）に刃体（８）を装着して、柄押さえ（２）側よりホルダー（１）に挿入し、スライダー固定ツマミ（１０）でスライダー（９）を固定する。
図２の状態で柄（３）を持って、草の生えている地面に刃体（８）を当てて草を根元から切り取る。
（ロ）フォークを使用する時は、図３のように柄（３）を刃体（８）側に倒す。
フォーク（１１）を支軸（１３）を介して回転して引き出し、フォークストッパー（１２）でフォーク（１１）を固定する。
この状態で、柄押さえ（２）側の柄を持って、フォーク（１１）を草の付け根に差し込んで、草の根ごと引き抜く。
砂利を敷いてある所に生えている草や、道路や塀の縁等狭い所に生えている草取りに最適。
（ハ）保管する時は、図４のようにフォーク（１１）を支軸（１３）を介して回転してフォーク収納庫に収納し、柄（３）を刃体（８）側に倒す。
柄（３）はマグネットＢ（６）で刃体（８）に吸着固定し、柄（３）の凹み部が刃体（８）の安全カバーとなり、刃体（８）による怪我を防ぐ。
【符号の説明】
【０００８】  １  ホルダー
２  柄押さえ
３  柄
４  凹み
５  マグネットＡ
６  マグネットＢ
７  蝶番
８  刃体
９  スライダー
１０  ライダー固定ツマミ
１１  フォーク
１２  フォークストッパー
１３  支軸
１４  フォーク収納庫
【図１】
2020025834.tif 000003
【図２】
2020025834.tif 000004
【図３】
2020025834.tif 000005
【図４】
2020025834.tif 000006
【図５】
2020025834.tif 000007
(57)【要約】【課題】ワイシャツに代表される前開き襟付きシャツを洗濯した後は襟の折り目を整えるため電力を使用し面倒で技術の必要なアイロンがけが必要であった。また襟付きシャツを保管する際のハンガーから落下しないようにシャツの上部のボタンをかける作業も面倒であった。本発明はシャツの乾燥時と保管時に使用する事で襟の形状を整えたまま乾燥が仕上がり、ボタンをかけなくてもハンガーへの保管が可能なクリップを提供する。【解決手段】クリップの先端部を挟み部とし  乾燥時にハンガーにシャツを掛けた状態で挟み部にてシャツの両襟を左右の折り目を揃えて挟んだまま乾燥させ、乾燥後は  そのままの状態で保管する。【選択図】図６
2020025835.tif 000002
【特許請求の範囲】
【請求項１】
クリップ（１）の先端部を挟み部（２）とし、襟に跡が付かないように角を丸面とした挟み部（２）で襟付きシャツの両襟を揃えて挟んだ際に挟み部の先端部分の左右の内側の平面が左右の襟を重ねた厚さで平行になる様に保持する空間部（３）を設けたクリップ。
【発明の詳細な説明】
【技術分野】
【０００１】  本発明はワイシャツに代表される前開き襟付きシャツを洗濯後に乾燥させる際に  襟に折り目が付いた状態を保ったまま乾燥が出来、乾燥後ハンガーにかけて保管する際にも面倒なボタン掛けをせずに保管が可能で、挟んだ跡が付きにくいクリップに関するものである。
【背景技術】
【０００２】  従来  前開き襟付きシャツを洗濯し乾燥させ保管する際は、襟の部分にはアイロンをかけて折り目を付け直した。またシャツをハンガーにかけて保管する際は上から１〜２カ所ボタンをかけてハンガーから落下しないように保管していた。
【発明の概要】
【発明が解決しようとする課題】
【０００３】  襟の部分の形状を整えるアイロンがけの作業は面倒であり  電源も技術も道具も必要であった。近年では形状記憶機能を備えたシャツも開発されているが  やはり洗濯時、乾燥時に襟の折り目がルーズになりがちであった。またシャツを保管する際にはその都度、面倒なボタン掛けをしてハンガーからの落下を防いだ。乾燥時および保管時に襟を挟む専用のクリップはなく、従来の洗濯バサミや文具用クリップで代用を試みるも  襟の厚みや形状に対してクリップの角度、接触する部分の形状やクリップのサイズがあわず  襟に跡がついてしまうケースが多かった。
【課題を解決するための手段】
【０００４】  クリップ（１）前方の襟を挟んだ際に襟と接触する部分を挟み部（２）とし両襟を挟んだ状態で左右の挟み部の内側の面がシャツの両襟の厚み（４〜６ｍｍ）と平行に配置される様に調整された空間部（３）を設ける。さらに挟み部（３）の襟と接する各角には挟んだ跡が残りにくいように丸面（４）を設ける。以上の構成よりなるクリップ
【発明の効果】
【０００５】  前開き襟付きシャツを洗濯後に乾燥させる際、ハンガーに吊るした状態で両襟を揃えて本発明で挟んだまま乾燥させる事で乾燥が完了した際に襟の折り目は付いた状態で仕上がり  なおかつそのままハンガーにセットした状態での保管が可能なため  面倒なボタン掛けは必要ない。その際に襟を挟み込む圧力は挟んだ部分に均等にかかり易く、接する部分の角も丸面のため跡は残りにくい。
【図面の簡単な説明】
【０００６】
【図１】本発明のクリップの斜視図
【図２】本発明のクリップを開いた状態の斜視図
【図３】本発明のクリップの側面図および挟み部の先端詳細図
【図４】本発明のクリップの挟み部の側面図
【図５】本発明のクリップで襟を挟んだ状態での挟み部と襟の関係図
【図６】本発明のクリップの使用状態の斜視図
【発明を実施するための形態】
【０００７】  以下  本発明の実施の形態を説明する。
（イ）クリップ（１）の先端に襟付きシャツの両襟を挟む先端部（２）を設け、先端部が襟付きシャツの両襟を揃えて挟んだ状態で左右の先端部の内側の両面が両襟を重ねた厚さ（４〜６ｍｍ）と平行な位置関係が発生する空間部（３）を設ける
（ロ）先端部（２）の襟と接する角には挟んだ跡が残りにくいように丸面を施す。
【符号の説明】
【０００１０】  １  クリップ
２  挟み部
３  空間部
４  丸面
５  襟
６  ハンガー
７  前開き襟付きシャツ
８  指
９  挟んだ際  挟み部の内側が平行になるエリア
【図１】
2020025835.tif 000003
【図２】
2020025835.tif 000004
【図３】
2020025835.tif 000005
【図４】
2020025835.tif 000006
【図５】
2020025835.tif 000007
【図６】
2020025835.tif 000008
(57)【要約】【課題】スマートウオッチで写真をとったり、動画を取るとき、腕が、邪魔して不都合である。【解決の手段】スマートウオッチのカメラの部分を分離して腕の向こう側と、手前側に分離して一体型のカメラ機能として、手前のスマートウオッチで見られるようにして腕の不都合を解決する。【特許請求の範囲】
【請求項１】
スマートウオッチのカメラ機能を分離したことによって、手前のスマートウオッチで向こう側のカメラと一体型で使用する。向こう側のカメラ機能のあるスマートウオチの機能も含まれる。
【発明の詳細な説明】
【技術分野】
【０００１】  この発明はスマートウオッチのカメラ機能を分離して、腕をはさんで、手前のカメラ機能と腕の向こう側のカメラ機能を分離して一体型のスマートカメラとして使用する発明である
【背景技術】
【０００２】  スマートウオッチは腕に接触していてスマートホーンのように対面の写真、カメラが使えない、カメラ機能を分離して腕の手前と向こう側にカメラを分離することによって、普通のスマートホーンとしてスマートウオッチが使用できるようになる。
【発明の開示・発明が解決しようとする課題】
【０００３】スマートウオッチは腕に付けるものであるから、腕の接触面に機能を付加できないので、対面が、見れるカメラ機能がないのが不便である。
【課題を解決するための手段】
【０００４】カメラ機能を分離したスマートウオッチを発明することによって、スマートウオッチで対面が、写したり、いろんな機能ができて、スマートウオッチとスマートホーンと同等の機能が得られる。
【発明の効果】
【０００５】  スマートウオッチのカメラ機能の分離一体型にすることによって手前のスマートウオッチで対面の映像を写したり、できて、普通のスマートホーン同等の機能を有するようになる。
【発明を実施するための最良の形態】
【０００６】  以下、本発明の実施例について説明する
スマートウオッチの上の部分にカメラを設置、分離したスマートウオッチ型にカメラを設置  腕につけてときに、手前のスマートウオッチと分離した、対面にあるカメラ機能を付けて、手前のカメラと分離したカメラが一体型のカメラとして働らく。ようなスマートウオッチにする。（図１）
【産業の利用の可能性】
【０００６】本発明は工業に量産することが、可能であるため、産業上の利用可能性有り。
【図面の簡単な説明】
【０００７】
【図１】本発明の斜視図
【図２】本発明の平面図
【図３】本発明の正面図
【符合の名称】
【０００８】▲１▼  スマートウオッチ本体
▲２▼  分離したスマートウオッチ
▲３▼  手前のカメラ、本体
▲４▼  分離したカメラ
【図１】
2020025239.tif 000002
【図２】
2020025239.tif 000003
【図３】
2020025239.tif 000004
(57)【要約】      （修正有）【課題】ルアー本体に容易に脱着可能な装置を備えた、魚釣りルアー用ヒレを提供する。【解決手段】伸縮性素材であるルアー用ヒレ１の環状部分内に、ルアー本体２を先端部分から突っ込んで装着固定する。【選択図】図３
2020025515.tif 000002
【特許請求の範囲】
【請求項１】
ルアー本体に容易に脱着可能な装置を備えた、魚釣りルアー用ヒレ。
【発明の詳細な説明】
【技術分野】
【０００１】
本発明は、脱着可能な魚釣りルアー用のヒレに関するものである。
【背景技術】
【０００２】
従来、ルアーのヒレは、ルアー本体にヒレを模した着色をし、又はヒレ型の凹凸を施すことにより表現した簡素なものであった。
【０００３】
別個のヒレ部品を取り付けたルアーであっても、金具や接着剤で固定されており、容易に交換できないものであった。
【発明の概要】
【発明が解決しようとする課題】
【０００４】
これは、次のような欠点があった。
一般的にルアー釣りは、生餌釣りに比べ釣れにくく、その原因は従来のルアーのリアリティが生餌のそれに及ばないからだと考えられる。生餌である小魚のヒレは水中を泳ぐ際に常にピロピロと動いており、対象魚が生餌と判断する重要な要素の一つであると認められる。よって単なる着色や凹凸だけでは真に効果的な集魚効果が期待できない。
【０００５】
釣行の時々により対象魚のエサに対する好みが変わることから、従来のルアーでは容易にヒレの色や形を変えることができず、対象魚の好みを見極めるのが困難であり、結果多種のルアーの携行が必要となり高コストである。
本発明は以上のような欠点をなくすためになされたものである。
【課題を解決するための手段】
【０００６】
本発明は、伸縮性のある塩化ビニル等のソフト素材によって作られた、ヒレ状突起付の環状のものを、ルアーに取り付けることを最も主要な特徴とする。
【発明の効果】
【０００７】
本発明の魚釣りルアー用後付け型ヒレは、ソフト素材のヒレ状部分が水中で動くことから、より生餌に近い動きを実現し、且つ脱着が容易であることから、バラエティに富んだルアーを釣り場において形成させることができ、その時々に応じた高い集魚効果が期待できるという利点がある。
【図面の簡単な説明】
【０００８】
【図１】図１は本発明の斜視図である。
【図２】図２は本発明の前面図である。
【図３】図３は本発明をルアーに装着した図である。
【発明を実施するための形態】
【０００９】
伸縮性のあるソフト素材の使用による生餌に近いヒレの動き及び、ヒレの容易な脱着という目的を実現した。
【産業上の利用可能性】
【００１０】
魚釣りルアー用後付け型ヒレの色、蛍光の有無、形状、サイズ等にバリエーションを設けることにより、ルアーのカスタマイズ・ドレスアップ要素が生まれ、購入者１人当たりの多種購入が期待される。
【符号の説明】
【００１１】
１    魚釣りルアー用後付け型ヒレ
２    ルアー本体
【図１】
2020025515.tif 000003
【図２】
2020025515.tif 000004
【図３】
2020025515.tif 000005
(57)【要約】【課題】容器の両側面に底から半分以、上の所に横縦に、網状に穴を開け、容器内で分離した物を、持ち手を持ち横にして直接排出する、底部に放射線状の高台を設けた容器を提供する。【解決手段】容器内を撹拌しながら熱によって自然に分離した不要なものを、焦げる前に容器を横にして直接排出できる、容器側面に底から半分、上のところに、横縦に網目状に穴を設け直接排出できる、冷却促進のために、放射線状の高台を設けたことを特徴とする撹拌式側面篩い付  ばいせんき。【選択図】図１
2020025532.tif 000002
【特許請求の範囲】
【請求項１】
容器の左右側面に容器の半分より上方の範囲に網状の両側面に穴を開け、放射線状に高台を設け、内側に湾曲にした口辺を設けたことを特徴とする、撹拌式側面篩い付  ばいせんき。
【発明の詳細な説明】
【技術分野】
【０００１】容器の投入口を内側に反り曲げ、取っ手を中心に両側面、底部から半分、上のところから横、縦に網状に穴を開け容器内で分離した物を、取っ手を持ち容器を横にして、篩い排出し、底部は冷却促進のために放射線状に高台を設けた容器に関するものである。
【背景技術】
【０００２】従来茶焙器、があった（特許文献１参照）。
また、焙煎器があった（特許文献２参照）。
【先行技術文献】
【特許文献】
【０００３】
【特許文献１】特開２００５−０５８２００
【特許文献２】実公昭８−００２０１９
【非特許文献１】焙りたてや本部  一宮物産株式会社、“家庭焙煎  いりたて名人”、［ｏｎｌｉｎｅ］、平成３０年６月２０日検索］、インタネット＜ＵＲＬ：ｈｔｔｐ：／／ｗｗｗ．ｉｒｉａｔｅｙａ．ｃｏ．ｊｐ／ｂａｉｓｅｎｇｕ．ｈｔｍｌ＞
【非特許文献２】株式会社フレッシュロースター珈琲問屋、“遠赤外線  焙煎器  いるいる”、［ｏｎｌｉｎｅ］、［平成３０年６月２０日検索］、インターネット＜ＵＲＬ：ｈｔｔｐ：／／ｗｗｗ．ｔｏｎｙａ．ｃｏ．ｊｐ／ｓｈｏｐ／ｇ／ｇ３６７８／＞
【発明の概要】
【発明が解決しようとする課題】
【０００４】従来は次のような問題点があった。
生豆を容器に入れ加熱すると、実がはじけ、多くの薄皮が分離発生する、その薄皮が、焦げて、煙が発生、それが原因で、苦み、えぐみなど、食感、味覚を低下させていた、その薄皮を加熱中、容器の中で取り払うのが困難であった、分離した薄皮を排出するために、容器の側面に穴を設け篩い状にした、容器を早めるために容器底部に放射線状に凹凸高台を設けた。
本発明は、これらの問題点を解決するためになされたものである。
【問題を解決するための手段】
【０００５】  １  容器の左右側面に容器底部半分、上から、横５対３、縦５対４、範囲に網状に穴を      開け、容器内で分離した物を、取っ手を持ち容器を横にして不要な物を、焦げる前      に適切なときに排出する。
２  左利き、右利きどちらからでも排出できる。
３  容器の底は冷却のために放射線状に高台を設けることで冷却を促進させた。
４  容器の口は横にしたときにこぼれ落ちないよう内側に湾曲にした。
以上を特徴とする容器である。
【発明の効果】
【０００６】分離発生した薄皮が、焦げ、煙から出る、苦み、えぐみ、などの成分が、食材本体に、うつる  前に、適切なときに容器から排出することにより防止出来た、きわめて良く、苦み、えぐみ、など取り除くことができた、底部に放射線状に、高台を付けることで容器の冷却を促進することができ、置いた状態で、撹拌するので安定し安全である。
【図面の簡単な説明】
【０００７】
【図１】本発明の実施例を示した平面図である。
【図２】本発明の横面図である。
【図３】本発明の平面図である。
【図４】本発明の容器放射線状高台部平面図である。
【図５】本発明の容器高台部拡大断面図である。
【図６】本発明の本発明の要の断面図である。
【発明を実施するための形態】
【０００８】以下、本発明の実施の形態について説明する。
（イ）耐熱陶磁器又は金属で球形状の素材からなる容器。
（ロ）穴は図２に示すように側面から見て半分より上に、穴は横方向約８０％、縦方向約      ６０％の範囲内、両側面に網状に開け左右どちらでも排出を出来るようにした。
（ハ）持ち手は容器と同じ素材を使用して、側面を視て半分より上のところに穴を開空胴      で排出口兼用とし角度は３０度内にする。
（ニ）補助取っ手は図３に示すように重いときに使用出来るように中心から振り分け横長      に持ちやすいようにつける。
（ホ）容器を横にしたとき、図２に示すように中に入れた物が、出ないように口縁を内側      に反らせた。
（ヘ）従来の容器は、煎り終るまで容器を持って休みなく振っていなければならなかった      が容器を動かさずに撹拌出来るので手が疲れなくなった。
（ト）容器底図４に示すように高台を放射線状に分割に付け冷却を促進させた。
本発明は以上のような構成である。
【符号の説明】
【０００９】（１）容器
（２）穴
（３）持ち手
（４）補助取っ手
（５）口辺
（６）底
（７）高台
（８）側面
（９）篩い落とす
【図１】
2020025532.tif 000003
【図２】
2020025532.tif 000004
【図３】
2020025532.tif 000005
【図４】
2020025532.tif 000006
【図５】
2020025532.tif 000007
【図６】
2020025532.tif 000008